(57)【要約】【課題】  結合用のバラクタダイオードに印加するバイアス電圧を、受信バンド切替用のスイッチダイオードのアノードに印加するバイアス電圧とは独立させる。【解決手段】  カソードに同調電圧Ｖｔが印加されると共に、アノードに第１のバイアス電圧が印加された第１のバラクタダイオード２１ｂを有するＶＨＦ入力同調回路２１と、ＶＨＦ入力同調回路２１に第２のバラクタダイオード２３を介して結合されたＶＨＦ高周波増幅器２４とを備え、第２のバラクタダイオード２３のカソードに同調電圧Ｖｔを印加し、ＶＨＦ帯のテレビジョン信号を受信する時にのみ第２のバラクタダイオード２１ｂのアノードに第２のバイアス電圧を印加した。【選択図】        図１
0003105564.tif 000002
【実用新案登録請求の範囲】
【請求項１】
カソードに同調電圧が印加されると共に、アノードに第１のバイアス電圧が印加された第１のバラクタダイオードを有するＶＨＦ入力同調回路と、前記ＶＨＦ入力同調回路に第２のバラクタダイオードを介して結合されたＶＨＦ高周波増幅器とを備え、前記第２のバラクタダイオードのカソードに前記同調電圧を印加し、ＶＨＦ帯のテレビジョン信号を受信する時にのみ前記第２のバラクタダイオードのアノードに第２のバイアス電圧を印加したことを特徴とするテレビジョンチューナ。
【請求項２】
前記ＶＨＦ高周波増幅器の次段に設けられた段間同調回路と、前記段間同調回路に第３のバラクタダイオードを介して結合されたミキサとを設け、前記第３のバラクタダイオードのカソードに前記同調電圧を印加し、前記ＶＨＦ帯のテレビジョン信号を受信する時にのみ前記第３のバラクタダイオードのアノードに第３のバイアス電圧を印加したことを特徴とする請求項１に記載のテレビジョンチューナ。
【請求項３】
ＵＨＦ帯のテレビジョン信号を増幅するＵＨＦ高周波増幅器と、前記ＶＨＦ帯のテレビジョン信号を受信するときに前記ＶＨＦ高周波増幅器にバイアス電圧印加するバイアス電圧切換回路とを設け、前記バイアス電圧切替回路から前記第二のバイアス電圧及び前記第３のバイアス電圧を出力したことを特徴とする請求項２に記載のテレビジョンチューナ。
【考案の詳細な説明】
【技術分野】
【０００１】
本考案はテレビジョンチューナに関する。
【背景技術】
【０００２】
従来のテレビジョンチューナを図２に示す。図２において、同調用バラクタダイオード２ａのカソードに印加される同調電圧によって同調周波数が変化する入力同調回路２と、入力同調回路２の次段に設けられた高周波増幅器４と、入力同調回路２を高周波増幅器４に結合する結合用バラクタダイオード５とを備えている。
【０００３】
そして、同調用バラクタダイオード２ａと結合用バラクタダイオード５とのカソード同士を互いに接続すると共に、そこに同調電圧を印加し、結合用バラクタダイオード５のアノードに同調用バラクタダイオード２ａのアノードの電圧よりも高く、且つ、同調電圧の最低電圧よりも低いバイアス電圧を印加して入力同調回路２の同調周波数の可変範囲を広げている（例えば、特許文献１参照。）。
【０００４】
【特許文献１】特開２００３−１２４７８６号公報（図１）
【考案の開示】
【考案が解決しようとする課題】
【０００５】
しかし、結合用バラクタダイオード５のアノードに印加するバイアス電圧はスイッチダイオード２ｆのアノードに印加するバイアス電圧を共用しているので、必ずしも最適なバイアス電圧が印加されないという問題を有していた。
【０００６】
この考案では、結合用のバラクタダイオードに印加するバイアス電圧を、受信バンド切替用のスイッチダイオードのアノードに印加するバイアス電圧とは独立させることを目的とする。
【課題を解決するための手段】
【０００７】
上記課題を解決するため、カソードに同調電圧が印加されると共に、アノードに第１のバイアス電圧が印加された第１のバラクタダイオードを有するＶＨＦ入力同調回路と、前記ＶＨＦ入力同調回路に第２のバラクタダイオードを介して結合されたＶＨＦ高周波増幅器とを備え、前記第２のバラクタダイオードのカソードに前記同調電圧を印加し、ＶＨＦ帯のテレビジョン信号を受信する時にのみ前記第２のバラクタダイオードのアノードに第２のバイアス電圧を印加した。
【０００８】
また、前記ＶＨＦ高周波増幅器の次段に設けられた段間同調回路と、前記段間同調回路に第３のバラクタダイオードを介して結合されたミキサとを設け、前記第３のバラクタダイオードのカソードに前記同調電圧を印加し、前記ＶＨＦ帯のテレビジョン信号を受信する時にのみ前記第３のバラクタダイオードのアノードに第３のバイアス電圧を印加した。
【０００９】
また、ＵＨＦ帯のテレビジョン信号を増幅するＵＨＦ高周波増幅器と、前記ＶＨＦ帯のテレビジョン信号を受信するときに前記ＶＨＦ高周波増幅器にバイアス電圧印加するバイアス電圧切換回路とを設け、前記バイアス電圧切替回路から前記第二のバイアス電圧及び前記第３のバイアス電圧を出力した。
【考案の効果】
【００１０】
請求項１の考案によれば、カソードに同調電圧が印加されると共に、アノードに第１のバイアス電圧が印加された第１のバラクタダイオードを有するＶＨＦ入力同調回路と、ＶＨＦ入力同調回路に第２のバラクタダイオードを介して結合されたＶＨＦ高周波増幅器とを備え、第２のバラクタダイオードのカソードに同調電圧を印加し、ＶＨＦ帯のテレビジョン信号を受信する時にのみ第２のバラクタダイオードのアノードに第２のバイアス電圧を印加したので、第２のバイアス電圧を第１のバイアス電圧から独立して最適値にすることができ、ＶＨＦ入力同調回路の同調周波数の可変範囲を広げることが可能となる。
【００１１】
また、請求項２の考案によれば、ＶＨＦ高周波増幅器の次段に設けられた段間同調回路と、段間同調回路に第３のバラクタダイオードを介して結合されたミキサとを設け、第３のバラクタダイオードのカソードに同調電圧を印加し、ＶＨＦ帯のテレビジョン信号を受信する時にのみ第３のバラクタダイオードのアノードに第３のバイアス電圧を印加したので、第２のバイアス電圧を最適値にすることができ、ＶＨＦ段間同調回路の同調周波数の可変範囲を広げることが可能となる。
【００１２】
また、請求項３の考案によれば、ＵＨＦ帯のテレビジョン信号を増幅するＵＨＦ高周波増幅器と、ＶＨＦ帯のテレビジョン信号を受信するときにＶＨＦ高周波増幅器にバイアス電圧印加するバイアス電圧切換回路とを設け、バイアス電圧切替回路から第二のバイアス電圧及び第３のバイアス電圧を出力したのでバイアス電圧切替回路を共用して第２及び第３のバイアス電圧が得られる。
【考案を実施するための最良の形態】
【００１３】
以下、図面に従って本考案を説明する。図１において、ＶＨＦ帯乃至ＵＨＦ帯のテレビジョン信号は、ＶＨＦ入力同調回路２１及びＵＨＦ入力同調回路２２に入力される。ＶＨＦ入力同調回路２１はバンド切替型の同調回路で構成され、第１のスイッチダイオード２１ａとアノードが接地された第１のバラクタダイオード２１ｂと複数のコイル（図示せず）とを有する。スイッチダイオード２１ａのアノードには第１のバイアス電圧が印加され、カソードに印加する切換電圧によって受信バンドが切り替えられ、第１のバラクタダイオード２１ｂのカソードに印加される同調電圧Ｖｔの値に対応して同調周波数が変化する。
【００１４】
また、ＵＨＦ入力同調回路２２もアノードが接地された第４のバラクタダイオード２２ａを有し、第４のバラクタダイオード２２ａのカソードに印加される同調電圧Ｖｔの値に対応して同調周波数が変化する。
【００１５】
ＶＨＦ入力同調回路２１は結合用の第２のバラクタダイオード２３を介してＶＨＦ高周波同調回路２４に結合される。第２のバラクタダイオード２３のカソードには同調電圧Ｖｔが印加される。また、ＵＨＦ入力同調回路２２はＵＨＦ高周波増幅器２５に結合される。ＶＨＦ高周波増幅器２４とＵＨＦ高周波増幅器２５とは集積回路２６内に構成され、それぞれ増幅素子（図示せず）を有し、それらの入力端は集積回路２６の入力端子２６ａ、２６ｂにそれぞれ接続される。また、それらの出力端は出力端子２６ｃ、２６ｄにそれぞれ接続される。
【００１６】
また、集積回路２６内にはトランジスタ２７が構成される。トランジスタ２７のエミッタは接地され、コレクタは抵抗２８によってＶＨＦ高周波増幅器２４の入力端に接続されると共に、抵抗２９によってＶＨＦ高周波増幅器２４の出力端に接続される。入力端子２６ａは抵抗３０によって接地される。ベースは入力端子２６ｂに接続される。また、集積回路２６には２つのバイアス電圧端子２６ｅ及び２６ｆが設けられる。そして、コレクタは抵抗３１によってバイアス電圧端子２６ｅに接続されると共に、抵抗３２によってバイアス電圧端子２６ｆに接続される。これら抵抗２８〜３２は集積回路２６内に構成されている。そして、バイアス電圧端子２６ｃは第２のバラクタダイオード２３のアノードに接続されると共に、抵抗３３によって接地される。また、バイアス電圧端子２６ｆは抵抗３４によって接地される。上記のトランジスタ２７と抵抗２８〜３４によってバイアス電圧切換回路３５が構成される。
【００１７】
ＶＨＦ高周波増幅器２４には、次段に設けられたＶＨＦ段間同調回路３６が出力端子２６ｃを介して接続される。ＶＨＦ段間同調回路３６も、ＶＨＦ入力同調回路２１と同様に、受信バンド切替型の同調回路で構成され、内部にスイッチダイオード３６ａと、アノードが接地され、カソードに同調電圧Ｖｔが印加された同調用の第５のバラクタダイオード３６ｂと、複数のコイル（図示せず）とを有する。そして、スイッチダイオード３６ａによって受信バンドが切り替えられ、同調電圧Ｖｔの値に対応して同調周波数が変化する。
【００１８】
ＶＨＦ段間同調回路３６には電源電圧Ｂが供給され、ＶＨＦ高周波増幅器２４にはＶＨＦ段間同調回路３６を介して電源電圧Ｂが供給される。すなわち、出力端子２６ｃに電源電圧Ｂが印加される。
【００１９】
ＶＨＦ段間同調回路３６には第３のバラクタダイオード３７を介してミキサ３８が結合される。ミキサ３８には図示しない発振器から局部発振信号が供給される。そして、集積回路２６のバイアス電圧端子２６ｆが第３のバラクタダイオード３７のアノードに接続される。
【００２０】
一方、ＵＨＦ高周波増幅器２５には、次段に設けられたＵＨＦ段間同調回路３９が出力端子２６ｄを介して接続される。ＵＨＦ段間同調回路３９には第６のバラクタダイオード３９ａが使用されている。また、入力端子２６ｂは抵抗４０によって接地され、この入力端子２６ｂには切替スイッチ４１によって抵抗４２を介して電源電圧Ｂが印加されるか又は接地電圧が印加される。なお、図示しないが、ＵＨＦ高周波増幅器２５にも電源電圧Ｂが供給されている。
【００２１】
以上の構成において、ＶＨＦ帯のテレビジョン信号を受信する場合には、切替スイッチ４１によって入力端子２６ｂが接地される。従って、ＵＨＦ高周波増幅器２５の入力端にはバイアス電圧が印加されないのでＵＨＦ高周波増幅器２５は不動作状態となる。一方、この状態ではトランジスタ２７がオフとなるので、出力端子２６ｃに印加されている電源電圧Ｂは抵抗２９を介してトランジスタ２７のコレクタに供給され、ここの電圧は抵抗２８と３０によって分圧されてＶＨＦ高周波増幅器２４の入力端にバイアス電圧として供給される。よってＶＨＦ高周波増幅器２４は動作状態となる。
【００２２】
また、コレクタの電圧は抵抗３１と３３とによって分圧され、分圧によって得られた第２のバイアス電圧は第２のバラクタダイオード２３のアノードに印加されると共に、抵抗３２と３４とによって分圧され、分圧によって得られた第３のバイアス電圧が第３のバラクタダイオード３７のアノードに印加される。よって、第２及び第３のバラクタダイオード２３、３７の容量値は入力同調回路２１及び段間同調回路３６の同調周波数に連動して増減するので、同調周波数の可変範囲が広がる。
【００２３】
一方、ＵＨＦ帯のテレビジョン信号を受信する場合には、切替スイッチ４１によって入力端子２６ｂには電源電圧Ｂが印加され、抵抗４２と４０とによって分圧されたバイアス電圧がＵＨＦ高周波増幅器２５の入力端に印加される。これによってＵＨＦ高周波増幅器２５は動作状態となる。このとき、トランジスタ２７はオンとかるので、コレクタは接地電圧となる。従って、ＶＨＦ高周波増幅器２４は不動作状態となると共に、第２及び第３のバラクタダイオード２３、３７の各アノードも接地電圧となる。
【００２４】
このことは、バラクタダイオード２３、３７のカソードに印加される同調電圧が低くなったときに順方向にバイアスされないようにするためには重要なことである。その理由は、同調電圧はＵＨＦ入力同調回路２２の第４のバラクタダイオード２２ａやＵＨＦ段間同調回路３９の第６のバラクタダイオード３９ａの各カソードにも印加されており、これら同調回路の同調周波数の可変範囲が広いので、その分だけ同調電圧がひくくなるからである。しかし、第２及び第３のバラクタダイオード２３、３７においては、アノードが接地電圧となるので、同調電圧が低くなってもこれらが順方向にバイアスされて整流作用を起こす心配がない。
【図面の簡単な説明】
【００２５】
【図１】本考案のテレビジョンチューナの構成を示す回路図である。
【図２】従来のテレビジョンチューナの構成を示す回路図である。
【符号の説明】
【００２６】
２１：ＶＨＦ入力同調回路
２１ａ：スイッチダイオード
２１ｂ：第１のバラクタダイオード
２２：ＵＨＦ入力同調回路
２２ａ：第４のバラクタダイオード
２３：第２のバラクタダイオード
２４：ＶＨＦ高周波増幅器
２５：ＵＨＦ高周波増幅器
２６：集積回路
２６ａ、２６ｂ：入力端子
２６ｃ、２６ｄ：出力端子
２６ｅ、２６ｆ：バイアス電圧端子
２７：トランジスタ
２８〜３４：抵抗
３５：バイアス電圧切換回路
３６：ＶＨＦ段間同調回路
３６ａ：スイッチダイオード
３６ｂ：第５のバラクタダイオード
３７：第３のバラクタダイオード
３８：ミキサ
３９：ＵＨＦ段間同調回路
３９ａ：第６のバラクタダイオード
４０：抵抗
４１：切替スイッチ
４２：抵抗
【図１】
0003105564.tif 000003
【図２】
0003105564.tif 000004